(57)【要約】【課題】スチーム量を増やすことなく、噴出された蒸気で十分に衣類を蒸し、しわ伸ばしを効率よく仕上げることができるスチームアイロンを提供する。【解決手段】掛け面に設けた複数のスチーム穴の少なくとも一部を一列に連続して配設するとともに、複数の窪みの少なくとも一部を前記一列に連続して配設したスチーム穴に沿わせて複数列配設したもので、スチーム穴より噴出された蒸気はスチーム穴内の空間で衣類を蒸すばかりでなく、スチーム穴に沿わせて複数列設けた窪み内の空間にも侵入し衣類をさらに連続的に蒸し、十分に衣類の繊維を膨潤しておくことができる。【選択図】図２
2006167325.tif 000002
【特許請求の範囲】
【請求項１】
ヒータによって加熱され、スチームを発生させる気化室を有するベースと、前記気化室に供給する水を蓄える水タンクと、前記ベースの下面に設けられ、前記気化室と連通された複数のスチーム穴と複数の窪みを有する掛け面とを備え、前記複数のスチーム穴の少なくとも一部を一列に連続して配設するとともに、前記複数の窪みの少なくとも一部を前記一列に連続して配設したスチーム穴に沿わせて複数列配設したスチームアイロン。
【請求項２】
一列に連続して配設した複数のスチーム穴に沿わせて複数列配設した窪みは、前記複数のスチーム穴に対向して連続して略直線状に配設するとともに、前記スチーム穴から離れるほど窪みの大きさを小さくした請求項１記載のスチームアイロン。
【請求項３】
一列に連続して配設した複数のスチーム穴に沿わせて複数列配設した窪みは、前記複数のスチーム穴に対向して連続して略直線状に配設するとともに、前記スチーム穴から離れるほど窪みの深さを浅くした請求項１記載のスチームアイロン。
【請求項４】
掛け面の中央部には窪みを有さない領域を設けた請求項１〜３のいずれか１項記載のスチームアイロン。
【請求項５】
掛け面は、中央部に頂点を有する下方に凸形状とした請求項４記載のスチームアイロン。
【請求項６】
掛け面の後端部には、前後方向所定長さに亘り窪みを有さない領域を設けた請求項１〜５のいずれか１項記載のスチームアイロン。
【請求項７】
複数の窪みの少なくとも一部は、平面視略円形状とした請求項１〜６のいずれか１項記載のスチームアイロン。
【請求項８】
複数の窪みの少なくとも一部は、略球面形状とした請求項１〜７のいずれか１項記載のスチームアイロン。
【請求項９】
複数の窪みの少なくとも一部は、スチーム穴から離れる方向に徐々にその幅が小さくなる形状とした請求項１〜６のいずれか１項記載のスチームアイロン。
【請求項１０】
複数の窪みの少なくとも一部は、スチーム穴から離れる方向に徐々にその深さが浅くなる形状とした請求項１〜６および９のいずれか１項記載のスチームアイロン。
【発明の詳細な説明】
【技術分野】
【０００１】
本発明は、衣類等のしわ伸ばしに用いられるスチームアイロンに関するものである。
【背景技術】
【０００２】
従来、この種のスチームアイロンは、かけ面に複数のスチーム穴を略Ｕ字状列に配置しただけのものが一般的であった（例えば、特許文献１参照）。
【特許文献１】実公昭４８−２８０７３号公報
【発明の開示】
【発明が解決しようとする課題】
【０００３】
アイロン掛けによるしわ伸ばしのメカニズムを説明すると、掛け面のスチーム穴から噴出された蒸気によって、衣類の繊維は熱と水分で膨潤し、繊維の変形部すなわち衣類しわは軟化し、その後直ちに通過するかけ面の熱と面圧力で平面に成形乾燥されて、衣類のしわが伸ばされる。しかしながら、従来の構成では、噴出された蒸気で衣類を蒸す作用が不十分で、衣類のしわ伸ばしを効率良く仕上げられないという課題があった。
【０００４】
本発明は、前記従来の課題を解決するもので、スチーム量を増やすことなく、噴出された蒸気で十分に衣類を蒸し、しわ伸ばしを効率よく仕上げられるスチームアイロンを提供することを目的とする。
【課題を解決するための手段】
【０００５】
前記従来の課題を解決するために、本発明のスチームアイロンは、ヒータによって加熱され、スチームを発生させる気化室を有するベースと、前記気化室に供給する水を蓄える水タンクと、前記ベースの下面に設けられ、前記気化室と連通された複数のスチーム穴と複数の窪みを有する掛け面とを備え、前記複数のスチーム穴の少なくとも一部を一列に連続して配設するとともに、前記複数の窪みの少なくとも一部を前記一列に連続して配設したスチーム穴に沿わせて複数列配設したもので、スチーム穴より噴出された蒸気はスチーム穴内の空間で衣類を蒸すばかりでなく、スチーム穴に沿わせて複数列設けた窪み内の空間にも侵入し衣類をさらに連続的に蒸し、その後かけ面が通過するまで十分に衣類の繊維を膨潤しておくことができるものである。
【発明の効果】
【０００６】
本発明のスチームアイロンはスチーム量を増やすことなく、噴出された蒸気で十分に衣類を蒸し、しわ伸ばしを効率よく仕上げることができる。
【発明を実施するための最良の形態】
【０００７】
第１の発明は、ヒータによって加熱され、スチームを発生させる気化室を有するベースと、前記気化室に供給する水を蓄える水タンクと、前記ベースの下面に設けられ、前記気化室と連通された複数のスチーム穴と複数の窪みを有する掛け面とを備え、前記複数のスチーム穴の少なくとも一部を一列に連続して配設するとともに、前記複数の窪みの少なくとも一部を前記一列に連続して配設したスチーム穴に沿わせて複数列設けたもので、スチーム穴より噴出された蒸気はスチーム穴内の空間と、スチーム穴に沿わせて複数列設けた窪み内の空間にも存在し衣類をさらに連続的に蒸し、その後かけ面が通過するまで十分に衣類の繊維を膨潤しておくことができる。
【０００８】
第２の発明は、上記第１の発明において、一列に連続して配設した複数のスチーム穴に沿わせて複数列配設した窪みは、前記複数のスチーム穴に対向して連続して略直線状に配設するとともに、前記スチーム穴から離れるほど窪みの大きさを小さくしたもので、窪みの空間に存在する蒸気の量を徐々に減少させ、その後通過するかけ面による成形乾燥を素早くすることができる。
【０００９】
第３の発明は、上記第１の発明において、一列に連続して配設した複数のスチーム穴に沿わせて複数列配設した窪みは、前記複数のスチーム穴に対向して連続して略直線状に配設するとともに、前記スチーム穴から離れるほど窪みの深さを浅くしたもので、窪みの空間に存在する蒸気の量を徐々に減少させるとともに、しわの凹凸をなだらかに順次小さくし、その後通過する掛け面による成形乾燥を素早くすることができる。
【００１０】
第４の発明は、上記第１〜第３の発明のいずれかにおいて、掛け面の中央部には窪みを有さない領域を設けたもので、布地の平面乾燥を確実にすることができる。
【００１１】
第５の発明は、上記第４の発明において、掛け面は、中央部に頂点を有する下方に凸形状としたもので、布地と掛け面の滑り抵抗が弱まり、滑らかにアイロン掛け操作を行うことができるとともに、局部的に面圧力を向上させて、布地の平面乾燥やしわ伸ばしをより確実に行うことができる。
【００１２】
第６の発明は、上記第１〜第５の発明のいずれかにおいて、掛け面後端部には、前後方向所定長さに亘り窪みを有さない領域を設けたもので、アイロンを前方に進めてアイロン掛けする基本動作において、最後に平面乾燥を確実にすることができる。
【００１３】
第７の発明は、上記第１〜第６の発明のいずれかにおいて、複数の窪みの少なくとも一部は、平面視略円形状としたもので、アイロンの動かす方向に関係なく、均等に衣類の凹凸に進行接触し、窪みによる新たな折りじわを防止することができる。
【００１４】
第８の発明は、上記第１〜第７の発明のいずれかにおいて、複数の窪みの少なくとも一部は、略球面形状としたもので、アイロンの動かす方向に関係なく、均等に衣類の凹凸に進行しその後衣類の凹凸を徐々に押し下げるので、窪みによる新たな折りじわをさらに防止することができるとともに、衣類の繊維を傷めることがない。
【００１５】
第９の発明は、上記第１〜第６の発明のいずれかにおいて、複数の窪みの少なくとも一部は、スチーム穴から離れる方向に徐々にその幅が小さくなる形状としたもので、窪みの空間に存在する蒸気の量を徐々に減少させ、その後通過する掛け面による成形乾燥を素早くすることができる。
【００１６】
第１０の発明は、上記第１〜第６および第９の発明のいずれかにおいて、複数の窪みの少なくとも一部はスチーム穴から離れる方向に徐々にその深さが浅くなる形状としたもので、窪みの空間に存在する蒸気の量を徐々に減少させるとともに、しわの凹凸をなだらかに順次小さくし、その後通過するかけ面による成形乾燥をより素早くすることができる。
【００１７】
以下、本発明の実施の形態について、図面を参照しながら説明する。なお、本実施の形態によって本発明が限定されるものではない。
【００１８】
（実施の形態１）
図１は本発明の第１の実施の形態におけるスチームアイロンの側面図、図２は同スチームアイロンのベースの掛け面を示す平面図、図３は図２のＡ−Ａ部分断面図、図４は本発明の第２の実施の形態におけるベースの掛け面を示す平面図、図５は図４のＢ−Ｂ部分断面図である。
【００１９】
図１〜図３において、１はヒータ２により加熱されるベースで、スチームアイロンの内部となる上部にはスチームを発生させるための気化室３が形成されている。このベース１には、図２に破線で示したように、平面視ベース１の後部を開放方向とした略Ｕ字状のヒータ２が埋設されており、ベース１をアイロン掛けに適切な温度に加熱する。
【００２０】
また、ベース１の掛け面４は略中央部を頂点とした下方に凸面形状（図示省略）にしてあり、掛け面略中央部にはスチーム穴および窪みを有さない領域４１を設けている。さらにまた、掛け面後端部にも、前後方向所定長さに亘りスチーム穴および窪みを有さない領域４２を設けている。
【００２１】
ベース１の掛け面４の平面から見てヒータ２の位置に相当する位置の外側には複数のスチーム穴５が一列に略Ｕ字状に連続して設けられ、各スチーム穴５は気化室３に連通している。
【００２２】
略Ｕ字状に一列に連なるように設けられたスチーム穴５の内側には、複数の窪み６を設けてある。これらの窪み６は、スチーム穴５に沿って複数列（本実施の形態では３列）をなすように配設してある。そして、それぞれの列の窪み６は、図２において直線Ａ−Ａあるいは直線Ｃ−Ｃで示すように、それらの外側に対向して設けられたスチーム穴５と連なって略直線状に配設されている。
【００２３】
そして、その略直線状の配列（直線Ａ−Ａ方向）を、それぞれの窪みの位置におけるヒータ２に対する垂線Ｄに対し後方に傾斜させて設けている。また、複数列配設した窪み６のうちの一列は、線分Ｅで示すようにヒータ２のほぼ直下に配置している。
【００２４】
そして、これらの窪み６の形状は、立体的には略球面形状とし、掛け面４上では略円形状としてあり、スチーム穴５から離れる列のものほど大きさを小さく、かつ、深さを浅くしてある。
【００２５】
７は気化室３に供給する水を貯える水タンク、８は外部操作によって水タンク７の水を気化室３に供給、停止を行うスチームボタンである。
【００２６】
なお、その他の構成は、従来よく知られたスチームアイロンと同様であるので、詳しい説明は省略する。
【００２７】
以上のように構成されたスチームアイロンの作用、動作について、以下に説明する。
【００２８】
なお、スチームアイロンとしての基本的な動作は、従来よく知られたものと同様であるので、詳しい説明は省略する。
【００２９】
まず、スチームボタン８を操作して水タンク７内の水を気化室３に供給すると、気化室３で蒸気が発生し、スチーム穴５から外部に噴出され、スチームを活用したアイロン掛けを行うことができる。
【００３０】
このとき、スチーム穴５より噴出された蒸気はスチーム穴５内の空間５ａと、スチーム穴５に沿わせた複数の窪み６内の空間６ａにも存在し、衣類をさらに連続的に蒸し、その後、掛け面４が通過するまで十分に衣類の繊維を膨潤しておくことができる。
【００３１】
そして、一列に連続して配設した複数のスチーム穴５に沿わせて略直線状に配設した窪み６は、それぞれの窪みの位置におけるヒータ２に対する垂線Ｄに対し後方に傾斜させているので、アイロンを前に滑らすアイロンかけ作業の基本動作に合致し、スチーム穴から噴出される蒸気を順次衣類に作用させることができる。
【００３２】
また、複数のスチーム穴５に沿わせて複数列配設した窪み６は、スチーム穴５から離れるほど窪み６の大きさを小さくしているので、窪み６の空間６ａに存在する蒸気の量は徐々に減少し、その後通過する掛け面４による成形乾燥を素早くすることができる。
【００３３】
さらにまた、スチーム穴５から離れるほど窪み６の深さを浅くしているので、窪み６を通過するしわの凹凸をなだらかに順次小さくし、その後通過するかけ面４による成形乾燥を一層滑らかにすることができる。
【００３４】
また、掛け面４の中央部の領域４１には窪みがないので、通常の前方へ進めてアイロン掛けする場合、その左右前方寄りをＵ字状に取り囲むスチーム穴５から噴出されたスチームで衣類を膨潤した後、掛け面４の中央部の領域４１での布地の平面乾燥をより確実にすることができる。
【００３５】
さらにまた、掛け面４は中央部に頂点を有する下方に凸形状としているので、布地と掛け面４の抵抗が弱まり、滑らかにアイロン掛け操作をすることができるとともに、局部的に面圧力を向上させて、布地の平面乾燥やしわ伸ばしをより確実に行うことができる。
【００３６】
また、掛け面４の後端部にも、前後方向所定長さに亘りスチーム穴および窪みを有さない領域４２を設けているので、アイロンを前方に進めてアイロン掛けする基本動作において、最後に平面乾燥を確実にすることができる。
【００３７】
さらにまた、複数の窪みは、略球面形状にしたことにより、アイロンの動かす方向に関係なく、均等に衣類の凹凸に進行するとともに、その後衣類の凹凸を球面形状で徐々に押し下げながら進行するので、窪みによる新たな折りじわを防止することができるとともに、窪みの縁部や窪みの内部の表面で衣類の繊維を傷めることがない。
【００３８】
さらにまた、掛け面４の温度分布においてヒータ２直下部は他の面に比べ高温になるものの、複数列配設した窪み６のうちの一列（線分Ｅ上）は、ヒータ２のほぼ直下に配置してあるので、衣類に直接接触する部分が間引かれているので、衣類に対して均等に温度を加えることができる。
【００３９】
なお、本実施の形態では、ベース１の下面を掛け面４としたが、掛け面４をベース１と別体で構成し、ベース１の下面に配設して構成することも可能である。
【００４０】
（実施の形態２）
次に本発明の第２の実施の形態について、図４および図５を用いて説明する。窪み６０は、スチーム穴５０から離れる方向に徐々にその幅を小さく、また、その深さを浅くした形状としている。そして、図４において直線Ｂ−Ｂで示すように、それらの外側に対向して設けられたスチーム穴５０は、窪み６０と連なって、その中心線上にほぼ位置するように配設されている。その他の構成は、実施の形態１と同様である。
【００４１】
スチーム穴５０から噴出された蒸気はスチーム穴５０内の空間５０ａと、スチーム穴５０に沿わせた複数の窪み６０内の空間６０ａにも存在し衣類をさらに連続的に蒸し、その後掛け面４０が通過するまで十分に衣類の繊維を膨潤する。また、窪み６０はスチーム穴５０から離れる方向に徐々にその幅を小さく、深さは浅くしてあるので、窪み６０内の蒸気量を徐々に減少させ、しわの凹凸をなだらかに順次小さくし、その後通過するかけ面による成形乾燥を一層滑らかにすることができる。
【００４２】
この窪み６０は、いわば、実施の形態１における複数列の対向する窪み６をつないで一つの窪みとして形成したようなもので、実施の形態１における窪み６よりも大量のスチームを保持できるので、衣類の繊維に対する膨潤効果をより大きくすることができる。
【産業上の利用可能性】
【００４３】
以上のように、本発明にかかるスチームアイロンは、スチーム量を増やすことなく、噴出された蒸気で十分に衣類を蒸し、しわ伸ばしを効率よくしあげることができるもので、家庭用、業務用のスチームアイロンに広く適用できる。
【図面の簡単な説明】
【００４４】
【図１】本発明の実施の形態１におけるスチームアイロンの側面図
【図２】同スチームアイロンのベースの掛け面を示した平面図
【図３】同スチームアイロンのベースの図２におけるＡ−Ａ断面図
【図４】本発明の実施の形態２におけるスチームアイロンのベースの掛け面を示した平面図
【図５】同スチームアイロンのベースの部分断面図
【符号の説明】
【００４５】
１  ベース
２  ヒータ
３  気化室
４  掛け面
５  スチーム穴
６  窪み
７  水タンク
【図１】
2006167325.tif 000003
【図２】
2006167325.tif 000004
【図３】
2006167325.tif 000005
【図４】
2006167325.tif 000006
【図５】
2006167325.tif 000007